【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
基地局と無線通信装置を含む移動通信システムにおいて干渉を報告する移動端末であって、前記移動端末が、第１のリソースを介して前記基地局と通信し、第２のリソースを介して前記無線通信装置と通信するように構成されており、前記移動端末が、
前記第１のリソースを介しての前記基地局との通信と、前記第２のリソースを介しての前記無線通信装置との通信との間の干渉条件を検出するように構成されているプロセッサと、
前記干渉条件を前記基地局に報告するように構成されている送信回路と、
前記基地局と通信するための第３のリソースを示す再構成情報を受信するように構成されている受信回路であって、前記プロセッサが、前記基地局との通信を前記第３のリソースに再構成するように構成されている、前記受信回路と、
を備えており、
前記プロセッサが、前記第１のリソースを介して前記基地局と通信した場合に前記干渉条件が持続するか否かを検出するようにさらに構成されており、前記干渉条件が解決した場合、前記送信回路が、前記第１のリソースを介しての通信における干渉の解決を前記基地局に報告するように構成されている、
移動端末。
【請求項２】
前記第３のリソースを介しての前記基地局との前記再構成された通信と、前記第２のリソースを介しての前記無線通信装置との通信との間に干渉条件が存在しない場合、前記送信回路が、干渉が回避されたことを前記基地局に報告するようにさらに構成されており、
干渉が回避されたことを前記送信回路が前記基地局に報告した後、前記プロセッサが、前記第１のリソースを介して前記基地局と通信した場合に前記干渉条件が持続するか否かを検出するように構成されている、
請求項１に記載の移動端末。
【請求項３】
前記移動端末の前記プロセッサが、前記第１のリソースを介して前記基地局と通信した場合に前記干渉条件が持続するか否かを、前記干渉条件が解決したことが検出されるまで、繰り返し検出するように構成されている、
請求項１または請求項２のいずれかに記載の移動端末。
【請求項４】
前記移動端末の前記プロセッサが、前記第１のリソースを介して前記基地局と通信した場合に前記干渉条件が持続するか否かを検出するように構成されており、このステップが、
−  前記第２のリソースを介しての前記無線通信装置との通信が終了したか、および／または、
−  前記無線通信装置との通信が再構成されたか、
を判定するステップを含んでいる、
請求項１から請求項３のいずれかに記載の移動端末。
【請求項５】
前記移動端末の前記プロセッサが、前記第１のリソースを介しての前記基地局とのアップリンク送信もしくはダウンリンク送信またはその両方と、前記第２のリソースを介しての前記無線通信装置とのアップリンク送信もしくはダウンリンク送信またはその両方との間の干渉条件を検出するように構成されている、
請求項１から請求項４のいずれかに記載の移動端末。
【請求項６】
前記移動端末の前記送信回路が、前記干渉条件を報告するように構成されており、このステップが、前記第１のリソースの指示情報を前記基地局に送信するステップを含んでいる、
請求項１から請求項５のいずれかに記載の移動端末。
【請求項７】
前記移動端末の前記送信回路が、前記干渉条件を報告するように構成されており、このステップが、無線リソース制御（ＲＲＣ）メッセージをアップリンク分散制御チャネル（ＵＬ−ＤＣＣＨ）メッセージを介して前記基地局に送信するステップを含んでいる、
請求項１から請求項６のいずれかに記載の移動端末。
【請求項８】
前記移動端末の前記送信回路が、干渉が回避されたことを報告するように構成されており、このステップが、別の無線リソース制御（ＲＲＣ）メッセージをアップリンク分散制御チャネル（ＵＬ−ＤＣＣＨ）メッセージを介して前記基地局に送信するステップを含んでおり、前記別のＲＲＣメッセージが、オプションとして、前記干渉条件が検出された対象の前記第１のリソースの指示情報を含んでいる、
請求項１から請求項７のいずれかに記載の移動端末。
【請求項９】
前記移動端末の前記送信回路が、前記第１のリソースを介しての通信において干渉が解決したことの指示情報を、
前記移動端末によって前記基地局に送信される、
−  さらなるＲＲＣメッセージ、
−  電力ヘッドルーム報告（ＰＨＲ）メッセージ、
−  拡張電力ヘッドルーム報告（ｅ−ＰＨＲ）メッセージ、
−  チャネル品質識別子（ＣＱＩ）メッセージ、または、
−  バッファ状態報告（ＢＳＲ）メッセージ、
に含めることによって、干渉の解決を報告するように構成されている、
請求項１から請求項８のいずれかに記載の移動端末。
【請求項１０】
前記移動端末の前記送信回路が、前記干渉の解決を前記基地局に報告するのにＰＨＲ／ｅ−ＰＨＲメッセージを使用するように構成されている場合、
前記ＰＨＲ／ｅ−ＰＨＲメッセージの予約ビット（Ｒビット）の第１の値が、前記第１のリソースを介しての通信において干渉条件が解決したことを前記基地局に示す、
請求項９に記載の移動端末。
【請求項１１】
前記移動端末の前記送信回路が、前記干渉の解決を前記基地局に報告するのにＰＨＲ／ｅ−ＰＨＲメッセージを使用するように構成されている場合、
前記第１のリソースを介しての通信において前記干渉条件が解決したことが前記移動端末の前記プロセッサによって検出された時点で、前記第１の値を含む前記ＰＨＲ／ｅ−ＰＨＲメッセージの送信がトリガーされる、
請求項１０に記載の移動端末。
【請求項１２】
前記移動端末の前記送信回路が、前記干渉の解決を前記基地局に報告するのにＰＨＲ／ｅ−ＰＨＲメッセージを使用するように構成されている場合、
前記ＰＨＲ／ｅ−ＰＨＲメッセージの予約ビット（Ｒビット）の第２の値が、前記第１のリソースを介しての通信において干渉条件が持続することを示し、
前記移動端末の前記送信回路が、前記第１のリソースを介しての前記基地局との通信において前記干渉条件が検出されてから、前記第１のリソースを介しての通信において前記干渉条件が解決したことが検出されるまでの間の期間中、前記第２の値を含むＰＨＲ／ｅ−ＰＨＲメッセージを送信するように構成されている、
請求項１０または請求項１１に記載の移動端末。
【請求項１３】
前記移動端末の前記送信回路が、前記干渉の解決を前記基地局に報告するのにｅ−ＰＨＲメッセージを使用するように構成されている場合、
前記ｅ−ＰＨＲメッセージの別の予約ビットが、前記第２のリソースを介して前記無線通信装置と通信するのに使用されている通信技術を示す、
請求項９から請求項１２のいずれかに記載の移動端末。
【請求項１４】
前記移動端末の前記送信回路が、前記干渉の解決を前記基地局に報告するのにｅ−ＰＨＲメッセージを使用するように構成されている場合、
前記ｅ−ＰＨＲメッセージの少なくとも１つのさらなる予約ビットが、前記干渉条件が検出された対象の前記第１のリソースに含まれているセルの干渉条件をセルごとに示す、
請求項９から請求項１３のいずれかに記載の移動端末。
【請求項１５】
命令を格納しているコンピュータ可読媒体であって、前記命令が移動端末のプロセッサによって実行されたとき、それに起因して、前記移動端末が、基地局と無線通信装置を含む移動通信システムにおいて干渉を報告し、前記移動端末が第１のリソースを介して前記基地局と通信し、第２のリソースを介して前記無線通信装置と通信するように構成されており、前記干渉を報告するステップが、
前記第１のリソースを介しての前記基地局との通信と、前記第２のリソースを介しての前記無線通信装置との通信との間の干渉条件を、前記移動端末によって検出するステップと、
前記干渉条件を前記基地局に報告するステップと、
前記基地局と通信するための第３のリソースを示す再構成情報を受信し、前記基地局との通信を前記第３のリソースに再構成するステップと、
前記第１のリソースを介して前記基地局と通信した場合に前記干渉条件が持続するか否かを検出し、前記干渉条件が解決した場合、前記第１のリソースを介しての通信における干渉の解決を前記基地局に報告するステップと、
による、
コンピュータ可読媒体。
【請求項１６】
基地局と無線通信装置を含む移動通信システムにおいて移動端末によって干渉を報告する方法であって、前記移動端末が、第１のリソースを介して前記基地局と通信し、第２のリソースを介して前記無線通信装置と通信するように構成されており、前記方法が、
前記第１のリソースを介しての前記基地局との通信と、前記第２のリソースを介しての前記無線通信装置との通信との間の干渉条件を、前記移動端末によって検出するステップと、
前記干渉条件を前記移動端末によって前記基地局に報告するステップと、
前記基地局と通信するための第３のリソースを示す再構成情報を、前記移動端末によって受信し、前記基地局との通信を前記第３のリソースに再構成するステップと、
前記第１のリソースを介して前記基地局と通信した場合に前記干渉条件が持続するか否かを、前記移動端末によって検出し、前記干渉条件が解決した場合、前記第１のリソースを介しての通信において干渉が解決したことを前記移動端末によって前記基地局に報告するステップと、
を含んでいる、方法。
【請求項１７】
前記第１のリソースを介して前記基地局と通信した場合に前記干渉条件が持続するか否かを検出する前記ステップが、
前記第３のリソースを介しての前記基地局との前記再構成された通信と、前記第２のリソースを介しての前記無線通信装置との通信との間に干渉条件が存在しない場合、干渉が回避されたことを前記移動端末によって前記基地局に報告するステップ、
の後に、前記移動端末によって実行される、
請求項１６に記載の方法。